(57)【要約】      （修正有）【課題】携帯に便利で、ＤＶＤを再生して表示画面を見ながら大きなサイズの投影を出力でき、壁や、卓上、天井等に必要な映像を投射できるポータブルＤＶＤプロジェクターを提供する。【解決手段】ＰＤＶＤモジュールが、プロジェクションディスプレイモジュール、プロジェクションパワー管理モジュール、及びプロジェクションオプティカルマシン駆動モジュールに接続され、ＰＤＶＤモジュールは、プロジェクションディスプレイモジュールに必要なビデオ信号を提供し、プロジェクションディスプレイモジュールは、ＰＤＶＤモジュールから出力された信号を受信し、プロジェクションオプティカルマシン駆動モジュールは、プロジェクションディスプレイモジュールで処理された信号を受信し、映像を投影するようにオプティカルマシンを駆動する。【選択図】図１
0003229697.tif 000002
【実用新案登録請求の範囲】
【請求項１】
ＰＤＶＤモジュールと、プロジェクションディスプレイモジュールと、プロジェクションパワー管理モジュールと、プロジェクションオプティカルマシン駆動モジュールと、を備え、前記ＰＤＶＤモジュールは、前記プロジェクションディスプレイモジュール、前記プロジェクションパワー管理モジュール、及び前記プロジェクションオプティカルマシン駆動モジュールにそれぞれ接続され、前記ＰＤＶＤモジュールの回路は、前記プロジェクションディスプレイモジュールに必要なビデオ信号を提供し、前記プロジェクションディスプレイモジュールは、前記ＰＤＶＤモジュールから出力されたビデオ信号を受信し、前記プロジェクションオプティカルマシン駆動モジュールは、前記プロジェクションディスプレイモジュールで処理された信号を受信し、映像を投影するようにオプティカルマシンを駆動することを特徴とするポータブルＤＶＤプロジェクター。
【請求項２】
前記ＰＤＶＤモジュール（１）のメインチップはＭＴ１３８９ＱＤであり、前記プロジェクションディスプレイモジュール（２）のメインチップはＴＳＵＭＶ５６ＲＢであり、前記プロジェクションパワー管理モジュール（３）のメインチップはＰＡＤ１０００であり、前記プロジェクションオプティカルマシン駆動モジュール（４）のメインチップはＤＰＰ２６０７であることを特徴とする請求項１に記載のポータブルＤＶＤプロジェクター。
【考案の詳細な説明】
【技術分野】
【０００１】
本考案は、映写機に関し、特に、ポータブルＤＶＤプロジェクターに関する。
【背景技術】
【０００２】
従来技術のＰＤＶＤは、単独の再生及び表示機能のみを有し、表示画面のサイズが固定されており、表示サイズは、大画面に対する顧客のニーズを満たすには小さすぎる。
【考案の概要】
【考案が解決しようとする課題】
【０００３】
従来技術の欠点に対して、本考案の目的は、ポータブルＤＶＤプロジェクターを提供することにある。携帯に便利で、ＤＶＤを再生して本機の表示画面を見ながら大きなサイズの投影を出力して、顧客がＰＤＶＤを使用する時、本機のスクリーンが小さすぎるという問題を解決し、壁や、卓上、天井等に必要な映像を投射することもできる。
【課題を解決するための手段】
【０００４】
本考案は、上記の技術的問題を解決するために、ＰＤＶＤモジュールと、プロジェクションディスプレイモジュールと、プロジェクションパワー管理モジュールと、プロジェクションオプティカルマシン駆動モジュールと、を備え、前記ＰＤＶＤモジュールは、前記プロジェクションディスプレイモジュール、前記プロジェクションパワー管理モジュール、及び前記プロジェクションオプティカルマシン駆動モジュールにそれぞれ接続され、前記ＰＤＶＤモジュールの回路は、前記プロジェクションディスプレイモジュールに必要なビデオ信号を提供し、前記プロジェクションディスプレイモジュールは、ＰＤＶＤモジュールから出力されたビデオ信号を受信し、前記プロジェクションオプティカルマシン駆動モジュールは、前記プロジェクションディスプレイモジュールで処理された信号を受信し、映像を投影するようにオプティカルマシンを駆動することを特徴とするポータブルＤＶＤプロジェクターを提供する。
【０００５】
前記ＰＤＶＤモジュール１のメインチップはＭＴ１３８９ＱＤである。
【０００６】
前記プロジェクションディスプレイモジュール２のメインチップはＴＳＵＭＶ５６ＲＢである。
【０００７】
前記プロジェクションパワー管理モジュール３のメインチップはＰＡＤ１０００である。
【０００８】
前記プロジェクションオプティカルマシン駆動モジュール４のメインチップはＤＰＰ２６０７である。
【考案の効果】
【０００９】
本考案は、既存のＰＤＶＤにプロジェクションモジュールを追加することで、携帯に便利で、ＤＶＤを再生して本機の表示画面を見ながら大きなサイズの投影を出力することができ、顧客がＰＤＶＤを使用する時、本機のスクリーンが小さすぎるという問題を解決し、壁や、卓上、天井等に必要な映像を投射することもできる。
【図面の簡単な説明】
【００１０】
以下、図面を参照しながら、本考案についてさらに説明する。
【図１】本考案のモジュールの接続ブロック図である。
【図２】本考案のＰＤＶＤ回路の原理図である。
【図３】本考案のプロジェクション表示駆動回路の原理図である。
【図４】本考案のプロジェクションパワー管理モジュールの原理図の回路原理図である。
【図５】本考案のプロジェクションオプティカルマシン駆動回路の原理図の回路原理図である。
【考案を実施するための形態】
【００１１】
図面を参照すると、本考案のポータブルＤＶＤプロジェクターは、ＰＤＶＤモジュール１と、プロジェクションディスプレイモジュール２と、プロジェクションパワー管理モジュール３と、プロジェクションオプティカルマシン駆動モジュール４と、を備え、前記ＰＤＶＤモジュール１は、プロジェクションディスプレイモジュール２、プロジェクションパワー管理モジュール３、及びプロジェクションオプティカルマシン駆動モジュール４にそれぞれ接続され、ＰＤＶＤモジュール１の回路は、プロジェクションディスプレイモジュール２に必要なビデオ信号を提供し、プロジェクションディスプレイモジュール２は、ＰＤＶＤモジュール１から出力されたビデオ信号を受信し、プロジェクションオプティカルマシン駆動モジュール４はプロジェクションディスプレイモジュール２で処理された信号を受信し、影像を投射するようにオプティカルマシンを駆動することを特徴とする。
【００１２】
動作時、ＰＤＶＤモジュール１は、プロジェクションディスプレイモジュール２にＣＶＢＳビデオ信号を出力し、プロジェクションディスプレイモジュール２の表示駆動チップはこのＣＶＢＳ信号を処理し、ＴＴＬ信号をプロジェクションオプティカルマシン駆動モジュール４に出力してオプティカルマシンが動作して必要な影像を投射するように駆動する。
【００１３】
本考案の実施例において、前記ＰＤＶＤモジュール１のメインチップはＭＴ１３８９ＱＤである。
【００１４】
前記プロジェクションディスプレイモジュール２のメインチップはＴＳＵＭＶ５６ＲＢである。
【００１５】
前記プロジェクションパワー管理モジュール３のメインチップはＰＡＤ１０００である。
【００１６】
前記プロジェクションオプティカルマシン駆動モジュール４のメインチップはＤＰＰ２６０７である。
【符号の説明】
【００１７】
１  ＰＤＶＤモジュール
２  プロジェクションディスプレイモジュール
３  プロジェクションパワー管理モジュール
４  プロジェクションオプティカルマシン駆動モジュール
【図１】
0003229697.tif 000003
【図２】
0003229697.tif 000004
【図３】
0003229697.tif 000005
【図４】
0003229697.tif 000006
【図５】
0003229697.tif 000007